(57)【要約】【課題】相手方が耳が不自由であったり、言葉を話すことが困難な場合であっても、双方向での通信が可能となる。【解決手段】子機１と複数の親機ＰＣ２とがネットワークで接続されているＩＰインターホンシステムであって、子機１は、文字データを入力する文字データ入力手段と、文字データを音声データに変換する音声処理手段と、文字データおよび音声データを親機ＰＣ２に送信する送信手段とを備え、親機ＰＣ２は、子機１から送信された文字データおよび音声データを受信する受信手段と、文字データを画面表示する表示手段と、音声データに基づく合成音声を出力する音声出力手段とを備えている。【選択図】図１
2008172359.tif 000002
【特許請求の範囲】
【請求項１】
少なくとも１台の子機と２台以上の親機とがネットワークで接続されているＩＰインターホンシステムであって、
前記子機は、
文字データを入力する文字データ入力手段と、
前記文字データを音声データに変換する音声処理手段と、
前記文字データおよび前記音声データを親機に送信する送信手段と
を備え、
前記親機は、
前記子機から送信された前記文字データおよび前記音声データを受信する受信手段と、
前記文字データを画面表示する表示手段と、
前記音声データに基づく合成音声を出力する音声出力手段と
を備えている
ことを特徴とするＩＰインターホンシステム。
【請求項２】
前記親機は、
文字データを入力する文字データ入力手段と、
前記文字データを音声データに変換する音声処理手段と、
前記文字データおよび前記音声データを子機に送信する送信手段と
を備え、
前記子機は、
前記親機から送信された前記文字データおよび前記音声データを受信する受信手段と、
前記文字データを画面表示する表示手段と、
前記音声データに基づく合成音声を出力する音声出力手段と
を備えている
ことを特徴とする請求項１に記載のＩＰインターホンシステム。
【請求項３】
前記親機および前記子機は、
定型文を構成する文字データを記憶する定型文記憶手段と、
前記定型文の中から１つを選択する指定入力を受け付ける定型文選択手段と
をさらに備えたことを特徴とする請求項１または２に記載のＩＰインターホンシステム。
【発明の詳細な説明】
【技術分野】
【０００１】
この発明はＩＰ（インターネットプロトコル）インターホンシステムに関し、特に、オフィスビルやマンション等の集合住宅等に設置されるＩＰインターホンシステムに関する。
【背景技術】
【０００２】
従来のインターホンシステムにおいては、訪問者や宅配業者の人は、建物の入り口近傍に設置されているインターホンシステムの子機のボタンを押して、相手先の部屋番号を入力して、相手先の部屋に設置されている親機を呼び出す。相手先の人は、呼び出された親機のマイクとスピーカーを用いて、訪問者との通話を行う。その結果、通行を許可してよいと相手先の人が判断した場合には、親機のボタンを操作して、ドアの解錠操作を行う。当該解錠操作により、解錠信号が子機を介して制御装置に送信され、電気錠が解錠され、ドアが開扉する。
【０００３】
しかしながら、このような従来のインターホンシステムでは、下記のような問題点があった。
【０００４】
１．親機と子機が通話をする際、子機を操作した人（親機を呼び出した人）が耳が不自由な人であった場合、親機で話した言葉が聞き取れず、双方向で会話ができない。
２．さらに、上記１に加え、子機を操作する人が言葉を話すことが困難な人であった場合、親機からの言葉が聞き取れても、自身が話したいことを親機に対して伝えることができない。
３．子機と親機間で通話する場合には、親機側には通話を行うためのデバイス（スタンドマイク、ハンドホン、ヘッドホンマイク等）を接続しておく必要がある。
４．子機からの呼び出しがあった際、呼び出されている親機側の人が応答できる状況でない（手が空いていない）場合に、子機の人はずっと親機からの応答を待ったままとなってしまう。
【０００５】
また、従来の他のインターホンシステムとして、施解錠時に、使用者に所望のメッセージを表示部に表示するものが提案されている（例えば、特許文献１参照。）。当該メッセージの内容は、管理室に設置されたパソコンや、携帯型のデータ入出力器などから入力されるものであり、例えば、住人が不在時に配達された配達物を管理人が一時的に預かった場合等に使用される。
【０００６】
【特許文献１】特開２００６−１８８８８８号公報
【発明の開示】
【発明が解決しようとする課題】
【０００７】
上記の特許文献１に記載された従来のシステムにおいては、相手方が耳が不自由であったり、言葉を話すことが困難な場合であっても、一方的にメッセージを伝えることは可能である。しかしながら、この場合においても、やはり、上記の１〜４の問題点は解決できていない。
【０００８】
この発明は、かかる問題点を解決するためになされたものであり、相手方が耳が不自由であったり、言葉を話すことが困難な場合であっても、双方向での通信が可能なＩＰインターホンシステムを得ることを目的としている。
【課題を解決するための手段】
【０００９】
この発明は、少なくとも１台の子機と２台以上の親機とがネットワークで接続されているＩＰインターホンシステムであって、前記子機は、文字データを入力する文字データ入力手段と、前記文字データを音声データに変換する音声処理手段と、前記文字データおよび前記音声データを親機に送信する送信手段とを備え、前記親機は、前記子機から送信された前記文字データおよび前記音声データを受信する受信手段と、前記文字データを画面表示する表示手段と、前記音声データに基づく合成音声を出力する音声出力手段とを備えていることを特徴とするＩＰインターホンシステムである。
【発明の効果】
【００１０】
この発明は、少なくとも１台の子機と２台以上の親機とがネットワークで接続されているＩＰインターホンシステムであって、前記子機は、文字データを入力する文字データ入力手段と、前記文字データを音声データに変換する音声処理手段と、前記文字データおよび前記音声データを親機に送信する送信手段とを備え、前記親機は、前記子機から送信された前記文字データおよび前記音声データを受信する受信手段と、前記文字データを画面表示する表示手段と、前記音声データに基づく合成音声を出力する音声出力手段とを備えていることを特徴とするＩＰインターホンシステムであるので、相手方が耳が不自由であったり、言葉を話すことが困難な場合であっても、双方向での通信が可能となる。
【発明を実施するための最良の形態】
【００１１】
実施の形態１．
図１は、この発明の実施の形態１に係るＩＰインターホンシステムの構成図である。図１に示されるように、この発明の実施の形態１に係るＩＰインターホンシステムは、建物の入り口近傍に設置された少なくとも１台のインターホン子機１（以下、子機１とする。）と、子機１から呼び出されるインターホン親機パーソナルコンピュータ２（以下、親機ＰＣ２とする。）と、入り口のドアに対して設置され、ドアの施解錠を行う電気錠４と、電気錠４の施解錠を制御するコントローラ３とを備えている。なお、親機ＰＣ２は、図１に示すように、複数個あり、建物内の各部屋内に設置されているものである。各親機ＰＣ２と子機１とはインターネット等のネットワークで接続されている。
【００１２】
図２に子機１の構成図を、図３に親機ＰＣ２の構成図を示す。また、図４に子機の動作のフローチャートを、図５に親機ＰＣ２の動作のフローチャートを示す。
【００１３】
図２に示すように、子機１には、液晶タッチパネル等の表示入力手段である液晶部１１（ＬＣＤ）と、液晶部１１の制御を行うＬＣＤ制御部１２と、アドレス帳データを記憶しているアドレス帳データ記憶装置１３と、親機ＰＣ２との通信の制御を行う通信制御部１４と、ＣＰＵから構成され、内部動作の制御を行う制御部１５と、訪問者の顔の画像または映像を処理するカメラ制御部１６と、文字データを、合成音声を生成するための音声データに変換する音声処理部１７と、訪問者の声が入力されるマイク１８と、音声が発声されるスピーカー１９と、訪問者の顔を撮影するカメラ２０とから構成されている。なお、アドレス帳データとは、子機１の各ボタンと親機ＰＣ２のＩＰアドレスとが対応付けられて記憶されたテーブルのことである。また、子機１には、親機２に送信するための定型文（文字データ）が予め登録されている定型文記憶装置（図示せず）も設けられている。
【００１４】
親機ＰＣ２には、図３に示すように、ディスプレイ装置から構成された親機画面アプリケーションを有するディスプレイ３１と、ディスプレイ３１の動作の制御を行う表示制御部３２と、ユーザーの音声が入力されるマイク３３と、訪問者の音声または合成音声が発声されるスピーカー３４と、訪問者とユーザーとが通話を行うためのハンドホン３５と、文字データを音声データに変換する音声処理部３６と、親機ＰＣ２の内部動作の制御を行うＣＰＵから構成された制御部３７と、子機１との通信の制御を行う通信制御部３８とから構成されている。また、親機ＰＣ２には、子機１に送信するための定型文（文字データ）が予め登録されている定型文記憶装置（図示せず）も設けられている。なお、親機ＰＣ２は、パソコン等の計算機から構成されているので、キーボードやマウス等の入力装置も備わっている。
【００１５】
動作について説明する。
図４及び図５に示すように、子機１の液晶部１１に表示されている呼び出しボタンを訪問者が押すと（ステップＳ４１）、制御部１５は、アドレス帳データ記憶装置１３に記憶されているアドレス帳データから、当該呼び出しボタンに割り当てられているＩＰアドレスを取得し（ステップＳ４２）、取得したＩＰアドレスに対応する親機ＰＣ２を、通信制御部１４の制御により、ネットワークを介して呼び出す（ステップＳ４３）。
【００１６】
これにより、親機ＰＣ２は、図５に示すように、子機１からの呼び出しを通信制御部３８が受信すると、ディスプレイ３１の親機画面アプリケーションは、呼び出しを受信したことを画面に表示し、ユーザーに対して、子機１からの呼び出しがあることを通知する（ステップＳ５１）。ユーザーは呼び出しがあることを認識すると、親機画面アプリケーションにより、通話を開始するための操作を行う。これにより、子機１との通話が開始される（ステップＳ５２）。
【００１７】
なお、このとき、カメラ２０により訪問者の顔が撮影されて、カメラ制御部１６により、当該画像データが処理されて、親機ＰＣ２に送信されるようにしてもよい。これにより、親機ＰＣ２の画面に訪問者の顔写真が表示され、親機ＰＣ２のユーザーは、当該画像から、訪問者が誰であるかを容易に知ることができる。
【００１８】
子機１においては、ステップＳ４３の後、所定時間経過しても、親機ＰＣ２との通話が開始されない場合には、呼び出しタイムアウトとなり（ステップＳ４５）、処理が終了される。一方、ステップＳ５２の処理により、通話が開始された（ステップＳ４４）場合には、訪問者が、子機１の液晶部１１の画面において、文字入力ボタンを押すと（ステップＳ４６）、文字入力画面が表示される（ステップＳ４８）。文字入力画面には、ひらがなやアルファベットを入力するための文字入力キーや、予め登録されている定型文リスト等が表示されているので、その画面より、文字データが入力されたり、定型文が選択され（ステップＳ４６）、確定ボタンの押下により、入力が確定されると（ステップＳ４１０）、入力された文字データをそのまま送信するか、あるいは、音声処理部１７にて、合成音声を生成するための音声データに変換して、当該音声データを通信制御部１４を介して、親機ＰＣ２に対して送信して（ステップＳ４１１）、通話を終了する（ステップＳ４１２）。なお、ステップＳ４６で、文字入力ボタンが押されなかった場合には、親機ＰＣ２との通話は音声にて行うこととする（ステップＳ４７）。
【００１９】
親機ＰＣ２は、通信制御部３８により、子機１からのデータの受信の有無を判定し（ステップＳ５３）、データ受信があった場合には、受信したデータが音声データか否かを判定する（ステップＳ５４）。受信したデータが音声データでなく、文字データだった場合には、表示制御部３２が、その文字データをそのままディスプレイ３１の画面上に表示し（ステップＳ５６）、処理を終了する（ステップＳ５７）。また、受信したデータが音声データだった場合には、音声処理部３６により、当該音声データに基づく合成音声を生成してスピーカー３４から再生させ、処理を終了する（ステップＳ５７）。これにより、子機１側の人が言葉を話せなくても、親機ＰＣ２とのやり取りを行うことが可能となる。また、親機ＰＣ２にスピーカー等がなく、音声を聞くことができない場合にも、親機ＰＣ２は画面上に表示される文字を見て対応が可能となる。
【００２０】
以上のように、本実施の形態においては、少なくとも１台の子機１（インターホン機器）と２台以上の親機ＰＣ２（インターホン親機パソコン）がネットワークで接続されているＩＰインターホンシステムであって、子機１の液晶部１１や文字入力キーで入力した文字データや音声データが親機ＰＣ２に送信され、親機ＰＣ２でそのデータが表示又は再生されるようにしたので、ＩＰインターホンシステムを使用するユーザーが障害者（耳が不自由であったり、言葉を話すことが困難な人）であった場合にも、親機ＰＣ２側の人が対応することが可能となる。
【００２１】
実施の形態２．
本実施の形態２に係るＩＰインターホンシステムの構成は、上述の実施の形態１で示した図１〜図３に示したものと同じであるため、それらを参照することとし、ここでは、その説明を省略する。図６に、本実施の形態２に係るＩＰインターホンシステムの子機１の動作のフローチャートを、図７に親機ＰＣ２の動作のフローチャートを示す。
【００２２】
本実施の形態２においては、親機ＰＣ２が、子機１との通話開始後に、親機ＰＣ２に音声で通話するためのデバイスがない場合や、あるいは、通話に対応する時間がない場合や、子機１から送信されてきた文字データの内容（例えば、障害者であること）から、音声では対応できないと判断された場合などについて説明する。
【００２３】
図６および図７において、ステップＳ４１〜Ｓ４４およびステップＳ５１〜Ｓ５２の動作については、図４および図５の動作と同じであるため、説明を省略する。本実施の形態２においては、親機ＰＣ２が、子機１との通話開始後に、親機ＰＣ２に音声で通話するためのデバイスがない場合には、親機ＰＣ２に予め用意されている音声データの中からユーザーが選択したものを、通信制御部３８を介して子機１に送信する（ステップＳ７４）。また、親機ＰＣ２が、子機１との通話開始後に、子機１から送信されてきた文字データの内容（例えば、障害者であること）から、音声では対応できないとユーザーにより判断された場合には、ユーザーが文字データを親機ＰＣ２の画面より入力し、その文字データを子機１に対して通信制御部３８を介して送信する（ステップＳ７３，Ｓ７５）。また、親機ＰＣ２が、子機１との通話開始後に、ユーザーが通話に対応する時間がない場合には、予め、ユーザーが留守番モードに親機ＰＣ２を設定しておくことにより、親機ＰＣ２が、予め用意されている音声データまたは文字データを子機１に通信制御部３８を介して自動的に送信する（ステップＳ７３，７５またはＳ７４）。この際、文字データは、ユーザーの操作または設定により、あるいは、自動的に、音声処理部３６により、音声データに変換することも可能とする。
【００２４】
子機１では、通信制御部１４により、親機ＰＣ２からのデータの受信の有無を判定し（ステップＳ６５）、データ受信があった場合には、受信したデータが音声データか否かを判定する（ステップＳ６６）。受信したデータが音声データでなく、文字データだった場合には、ＬＣＤ制御部１２が、その文字データをそのまま液晶部１１の画面上に表示し（ステップＳ６８）、通話を終了する（ステップＳ６９）。また、受信したデータが音声データだった場合には、音声処理部１７により、スピーカー１９から当該音声データに基づく音声を再生させ、通話を終了する（ステップＳ６９）。これにより、子機１側の人が耳の不自由な人であった場合でも、画面に文宇が表示されるので、親機ＰＣ２とのやりとりが可能となる。また、親機ＰＣ２に音声入力デバイス（スタンドマイク、ハンドホン）がない場合や、時間に余裕がなくて通話の対応が出来ない場合にも、予め用意しておいた音声データを選択するだけで、子機１に対して親機ＰＣ２のメッセージを伝えることが可能となる。
【００２５】
以上のように、本実施の形態においては、上記実施の形態１と同様の効果が得られるとともに、さらに、親機ＰＣ２から、入力された文字データや予め用意していた定型文データや音声データを子機１に対して送信すると、そのデータを子機１の液晶部１１に表示又は合成音声を再生するようにしたので、子機１と通話する際に、親機ＰＣ２にマイクやスピーカーが無くても対応することができる。また、親機ＰＣ２から送信されたデータを子機１に表示することで、子機１を使用するユーザーが障害者（耳が不自由な人）であった場合の対応も可能となる。
【図面の簡単な説明】
【００２６】
【図１】この発明の実施の形態１および２に係るＩＰインターホンシステムの構成を示した構成図である。
【図２】この発明の実施の形態１および２に係るＩＰインターホンシステムにおける子機の構成を示したブロック図である。
【図３】この発明の実施の形態１および２に係るＩＰインターホンシステムにおける親機ＰＣの構成を示したブロック図である。
【図４】この発明の実施の形態１に係るＩＰインターホンシステムの子機の動作を示したフローチャートである。
【図５】この発明の実施の形態１に係るＩＰインターホンシステムの親機ＰＣの動作を示したフローチャートである。
【図６】この発明の実施の形態２に係るＩＰインターホンシステムの子機の動作を示したフローチャートである。
【図７】この発明の実施の形態２に係るＩＰインターホンシステムの親機ＰＣの動作を示したフローチャートである。
【符号の説明】
【００２７】
１  子機、２  親機ＰＣ、３  コントローラ、４  電気錠、１１  液晶部、１２  ＬＣＤ制御部、１３  アドレス帳データ記憶装置、１４  通信制御部、１５  制御部、１６  カメラ制御部、１７  音声処理部、１８  マイク、１９  スピーカー、２０  カメラ、３１  ディスプレイ、３２  表示制御部、３３  マイク、３４  スピーカー、３５  ハンドホン、３６  音声処理部、３７  ＣＰＵ、３８  通信制御部。
【図１】
2008172359.tif 000003
【図２】
2008172359.tif 000004
【図３】
2008172359.tif 000005
【図４】
2008172359.tif 000006
【図５】
2008172359.tif 000007
【図６】
2008172359.tif 000008
【図７】
2008172359.tif 000009